(57)【要約】【課題】  複数種類の映像方式に対応した撮像回路を有していても、それぞれの映像方式に対応するオンスクリーン信号の発生回路や合成回路を必要とせず、簡単な構成でモニタ部へのオンスクリーン表示を可能にする。【解決手段】  複数種類の映像方式の中から選択された映像方式で撮像する撮像部１２と、オンスクリーン信号ＯＳを発生するＯＳＤ発生部１７と、撮像部１２で撮像して得られた映像信号ＶＤとＯＳＤ発生部１７から発生されたオンスクリーン信号ＯＳとを共に表示するモニタ部１５とを備えるビデオカメラ装置において、モニタ部１５は、選択された映像方式に基づく表示方式で映像信号ＶＤを表示するＬＣＤパネル部１５ａと、オンスクリーン信号ＯＳを表示するための光透過性を有する有機ＥＬパネル部１５ｂとを備え、有機ＥＬパネル部１５ｂをＬＣＤパネル部１５ａの表示面の前面に重ね配置するように構成した。【選択図】      図１
2006115266.tif 000002
【特許請求の範囲】
【請求項１】
複数種類の映像方式の中から選択された映像方式で撮像する撮像手段と、オンスクリーン情報を発生するオンスクリーン情報発生手段と、前記撮像手段で撮像された画像情報と前記オンスクリーン情報発生手段から発生されたオンスクリーン情報とを共に表示する表示手段と、を備えるビデオカメラ装置において、
前記表示手段は、前記選択された映像方式に基づく表示方式で前記画像情報を表示する第１の表示部と、
前記オンスクリーン情報を表示するための光透過性を有する第２の表示部とを備え、
前記第２の表示部を前記第１の表示部の表示面の前面に重ねて配置し、前記画像情報上に前記オンスクリーン情報を重ねて表示させる
ように構成したことを特徴とするビデオカメラ装置。
【発明の詳細な説明】
【技術分野】
【０００１】
本発明は、ビデオカメラ装置に係り、特に複数種類の入力映像方式に応じて撮像した映像情報をオンスクリーン情報と共にモニタに表示可能なビデオカメラ装置に関する。
【背景技術】
【０００２】
近年、ビデオカメラは多機能化や高機能化が進むと共に小型化や低価格化が一層進み、業務用分野のみならず一般家庭分野においてもその普及はめざましいものである。このような進歩めざましいビデオカメラには、利用者が撮像する画面全体を確認するための手段として、従来から用いられてきたビューファインダの他に液晶パネル等を用いたモニタが併設されているものが多い。これにおいて、ビューファインダで撮像画面を確認するためには、利用者は片目でファインダを覗き込まなければならず、又撮像姿勢が固定的になるため不便なものであったが、モニタで撮像画面を確認するようにすれば片目で見る必要はなく、又自由度の高い撮像姿勢をとることができるため、特にモニタの利便性は高いものである。
【０００３】
ところで、ビューファインダやモニタには、撮像する画面全体が表示される他、ビデオカメラに内蔵された時計から得られる現在日時情報や制御手段等に設定された各種情報（以下、設定情報等と称す。）が撮像画像に重ね合わされて表示される。これにおいて、ビデオカメラの撮像画像に設定情報等を重ね合わせて表示するためには、ビデオカメラの撮像手段が撮像する撮像画像と制御手段等によって制御された設定情報発生源が発生する設定情報等とを画像合成手段によって合成する必要がある。この画像合成に関しては、例えば特許文献１に映像信号とＯＳＤ（オンスクリーンデータ）表示信号作成回路７で生成されたＯＳＤ表示信号（ＨＳ）とを映像信号ミックス回路９で合成して出力する構成が示されている。
【０００４】
一方、前述したようにビデオカメラは多様な機能を具備する傾向にあり、複数種類の入力映像方式に対応したものも普及してきた。例えば、異なる方式の映像入力信号としてＨＤ（Ｈｉｇｈ  Ｄｅｆｉｎｉｔｉｏｎ）信号とＳＤ（Ｓｔａｎｄａｒｄ  Ｄｅｆｉｎｉｔｉｏｎ）信号とを選択的に入力可能なビデオカメラがある。このビデオカメラがモニタを装備している場合の基本的な概略構成を示したブロック図の例を図５に示す。同図に示したように、従来のビデオカメラ５が有する制御部５７は、ＨＤ方式又はＳＤ方式のうち選択された入力方式を撮像部５２に指示すると共に、この入力方式に対応したＨＤ信号用ＯＳＤ発生部５５又はＳＤ信号用ＯＳＤ発生部５６のいずれかに対して設定情報等を発生するよう制御する。
【０００５】
例えば、制御部５７によってＨＤ方式が指示された場合、光学系５１を通して得られる映像はＨＤ入力信号として撮像部５２で撮像され、映像処理部５３で符号化等の映像処理がされて記録部５４に記録されると共に、ＨＤ方式のＶＤ信号として合成部５８に供給される。一方、ＨＤ信号用ＯＳＤ発生部５５は制御情報等をＨＤ信号方式で発生してＨＤＯＳ信号として合成部５８に供給する。そして、合成部５８はＨＤ方式のＶＤ信号とＨＤＯＳ信号とを合成処理してモニタ部５９に表示する。ＳＤ方式の場合は、上記と同様に映像処理部５３から供給されたＳＤ方式のＶＤ信号とＳＤ信号用ＯＳＤ発生部５６から発生されたＳＤＯＳ信号とを合成部５８で合成処理してモニタ部５９に表示する。
【特許文献１】特開２００２−２８１３５４号公報
【発明の開示】
【発明が解決しようとする課題】
【０００６】
上述したように、従来の方式によるビデオカメラ装置は、映像入力信号と設定情報等の信号とを合成するための映像合成手段が必要であり、更に図５を用いて説明したように映像入力信号が複数種類の映像方式に対応する場合は、設定情報等の信号も同様に複数種類の映像方式で発生するように設定情報発生手段を構成する必要があった。これは、ビデオカメラの多機能化の要請に対し、オンスクリーン表示を実現させる構成が複雑になってコストアップにも繋がるといった問題を有するものである。
【０００７】
そこで、本発明は上記問題に鑑みてなされたものであり、複数種類の入力映像方式に対応したビデオカメラ装置において、入力映像方式に全く影響を受けずに簡単な構成で設定情報等を発生させ、任意の入力映像方式によって撮像された映像情報に重ね合わせしてモニタ表示させることが容易に可能なビデオカメラ装置を提供することを目的とする。
【課題を解決するための手段】
【０００８】
上記の課題を解決するために、請求項１に記載の発明は、複数種類の映像方式の中から選択された（１６）映像方式で撮像する撮像手段（１２）と、オンスクリーン情報（ＯＳ）を発生するオンスクリーン情報発生手段（１７）と、前記撮像手段で撮像された画像情報（ＶＤ）と前記オンスクリーン情報発生手段から発生されたオンスクリーン情報とを共に表示する表示手段（１５）と、を備えるビデオカメラ装置において、前記表示手段は、前記選択された映像方式に基づく表示方式で前記画像情報を表示する第１の表示部（１５ａ）と、前記オンスクリーン情報を表示するための光透過性を有する第２の表示部（１５ｂ）とを備え、前記第２の表示部を前記第１の表示部の表示面の前面に重ねて配置し、前記画像情報上に前記オンスクリーン情報を重ねて表示させるように構成したことを特徴とするビデオカメラ装置（１）を提供する。
【発明の効果】
【０００９】
本発明に係るビデオカメラ装置によれば、撮像された入力映像信号と設定情報等のオンスクリーン信号とを合成するための映像合成手段を設ける必要がなく、従来の回路構成よりも簡単化することができる。さらに、撮像の入力映像方式が複数種類に対応する場合に、それぞれの映像方式に対応して同一方式のオンスクリーン信号を発生させる必要がなく、設定情報発生手段は固定方式のオンスクリーン信号を発生させればよいため、設定情報発生手段の回路構成を簡単化することができる。
【発明を実施するための最良の形態】
【００１０】
以下、本発明を実施するための最良の形態につき、好ましい形態例について図面を参照して説明する。図１は、本発明の一実施の形態例に係るビデオカメラ装置の概略基本構成を示したブロック図である。同図に示すビデオカメラ装置１は、撮像の入力映像方式としてＨＤ方式及びＳＤ方式に対応し、利用者の操作によっていずれか任意の方式が選択されて動作するものとする。
【００１１】
すなわち、ビデオカメラ装置１は、撮像レンズやフォーカス機構等を有する光学系１１と、ＨＤ方式及びＳＤ方式の両方式での撮像が可能なＣＣＤ（Ｃｈａｒｇｅ  Ｃｏｕｐｌｅｄ  Ｄｅｖｉｃｅｓ）を有した撮像部１２と、撮像部１２から供給された撮像データを例えばＭＰＥＧ２方式等の符号化方式によって符号化するための映像処理部１３と、映像処理部１３で符号化された符号化データをビデオテープやＤＶＤ（Ｄｉｇｉｔａｌ  Ｖｅｒｓａｔｉｌｅ  Ｄｉｓｃ）、或いはメモリカード等の記録媒体に記録するための記録部１４と、ビデオカメラ装置１全体を制御し、特に利用者がＨＤ方式とＳＤ方式とを選択するために不図示の選択スイッチで選択して発行された入力映像方式を識別するステータス信号（ＳＴ信号）が供給されて、このＳＴ信号に基づき少なくとも撮像部１２の制御をするための制御部１６と、制御部１６からの制御に基づいて例えばＳＤ方式やＶＧＡ（登録商標）方式といった撮像の入力映像方式とは関係を有さない固定の映像方式による、前述した設定情報等のオンスクリーン信号（ＯＳ信号）を出力するためのＯＳＤ発生部１７と、映像処理部１３から出力されたＨＤ方式又はＳＤ方式に基づく映像信号（ＶＤ信号）及びＯＳＤ発生部１７から出力されたＯＳ信号がそれぞれ供給されて表示するためのモニタ部１５とを有する。
【００１２】
更に、モニタ部１５は上述したようなＨＤ方式及びＳＤ方式のいずれの映像方式にも対応したＶＤ信号について表示可能なＬＣＤ（Ｌｉｑｕｉｄ  Ｃｒｙｓｔａｌ  Ｄｉｓｐｌａｙ）パネル部１５ａと、前記固定の映像方式によるＯＳ信号について表示可能な有機ＥＬ（Ｅｌｅｃｔｒｏ  Ｌｕｍｉｎｅｓｃｅｎｃｅ）パネル部１５ｂとを有する。
【００１３】
次に、モニタ部１５を構成するＬＣＤパネル部１５ａ及び有機ＥＬパネル部１５ｂの実体的な構成の例について図２を参照して説明する。同図は、有機ＥＬパネル部１５ｂをＬＣＤパネル部１５ａの表示面側に重ね配置する様子を模式的にあらわした斜視図である。同図に示すように、モニタ部１５は、ＬＣＤパネル部１５ａの画像表示部１５ａ１に画像表示部１５ａ１の画角寸法と同一寸法の有機ＥＬパネル部１５ｂを重ねて配置構成したものである。
【００１４】
これにおいて、有機ＥＬパネル部１５ｂは平板状の形態や屈曲自在なフィルム状の形態であってもよい。有機ＥＬパネル部１５ｂはＬＣＤパネル部１５ａの画像表示部１５ａ１と利用者の目との間に配置されるため、有機ＥＬパネル部１５ｂ自体は光透過性を有することが必要であり、その光透過率は１００％であることが最も望ましい。しかしながら、その透明度は画像表示部１５ａ１の輝度や周囲の明るさ等にも依存して評価されるものである。よって、本実施の形態例においては、有機ＥＬパネル部１５ｂの光透過性は、ＬＣＤパネル部１５ａに表示される映像をその使用目的に応じて支障なく視認可能な程度の透明度を有するものであればよいものとする。
【００１５】
また、ＬＣＤパネル部１５ａと有機ＥＬパネル部１５ｂとの重ね配置については、互いに隙間なく密着させて構成してもよいし、ＬＣＤパネル部１５ａからの放熱を考慮して、有機ＥＬパネル部１５ｂを介して視認できるＬＣＤパネル部１５ａの表示に支障が出ない程度の隙間をもって構成してもよい。隙間を設けるとすれば、望ましくは５ｍｍ以内程度である。
【００１６】
以上のような構成のビデオカメラ装置１を用いて撮像し、その撮像された映像信号をモニタするためのＶＤ信号とＯＳＤ発生部１７から発生された設定情報等のオンスクリーン信号であるＯＳ信号とをモニタ部１５に表示させた表示例を図３に示す。同図に示すように、モニタ部１５の表示部３１には、ＬＣＤパネル部１５ａに表示された撮像映像ａの前面に有機ＥＬパネル部１５ｂに表示されたオンスクリーン文字ｂ及びｃが重ね合わされて表示される。
【００１７】
以上詳細を説明したように、本発明に係るビデオカメラ装置によれば、撮像された入力映像信号と設定情報等のオンスクリーン信号とを合成するための映像合成回路を設ける必要がなく、従来の回路構成よりも簡単化することができる。
【００１８】
また、撮像の入力映像方式がＨＤ方式やＳＤ方式に対応する場合に、それぞれの映像方式に対応して同一方式のオンスクリーン信号を発生させる必要がなく、ＯＳＤ発生部は固定方式のオンスクリーン信号を発生させればよいため、特にＯＳＤ発生部の回路構成を簡単化することができる。
【００１９】
なお、本実施の形態例においては、ビデオカメラ装置１はＨＤ方式及びＳＤ方式の入力映像方式に対応する場合について説明したが、映像方式の種類やその種類数についてはこれに限るものでないことは言うまでもなく、映像方式の種類数が多いほど本発明による上述した効果は大きいものである。
【００２０】
また、モニタ部１５を構成するＬＣＤパネル部１５ａについては、ＬＣＤパネルのみならずＰＤＰ（Ｐｌａｓｍａ  Ｄｉｓｐｌａｙ  Ｐａｎｅｌ）やＣＲＴ、その他の種類の表示手段にも適用可能であり、又有機ＥＬパネル部１５ｂは前述したような光透過性を有する表示体であればオンスクリーン情報の表示手段として適用可能である。
【００２１】
さらにまた、本実施の形態例においては、モニタ部１５はＬＣＤパネル部１５ａの画像表示部にこの画像表示部の画面寸法と同一寸法の有機ＥＬパネル部１５ｂを重ねて配置構成した例について説明したが、有機ＥＬパネル部１５ｂの画面寸法はＬＣＤパネル部１５ａの画面表示部の寸法よりも小さくてもよく、例えば図４に示すようにＬＣＤパネル部１５ａの画像表示部の上部のみに重ね配置するように有機ＥＬパネル部１５ｂ１を構成すれば、図３に示した表示例のようなオンスクリーン文字ｂ及びｃの表示部分をカバーすることが可能である。
【産業上の利用可能性】
【００２２】
以上により、本発明は、多種の映像方式で映像情報を表示可能な映像表示装置上に単一の映像方式でオンスクリーン情報を表示する表示体を重ね合わせることで映像情報とオンスクリーン情報との重ね合わせ表示を可能とするため、ビデオカメラ装置のみならずオンスクリーン表示機能を備えた様々な映像・音響分野、産業分野、医療分野等で用いられる機器においても、特に回路構成を簡単化したい場合に有用である。
【図面の簡単な説明】
【００２３】
【図１】本発明の一実施の形態例に係るビデオカメラ装置の概略基本構成を示したブロック図である。
【図２】モニタ部１５を構成するＬＣＤパネル部１５ａ及び有機ＥＬパネル部１５ｂの実体的な構成の例について、有機ＥＬパネル部１５ｂをＬＣＤパネル部１５ａの表示面側に重ね配置する様子を模式的にあらわした斜視図である。
【図３】本発明の一実施の形態例に係るビデオカメラ装置のモニタ部１５の表示例である。
【図４】有機ＥＬパネル部１５ｂ１をＬＣＤパネル部１５ａの表示面側の上部のみに重ね配置する様子を模式的にあらわした斜視図である。
【図５】従来のモニタ付きビデオカメラの基本的な概略構成を示したブロック図の例である。
【符号の説明】
【００２４】
１  ビデオカメラ装置
１１  光学系
１２  撮像部
１３  映像処理部
１４  記録部
１５  モニタ部
１５ａ  ＬＣＤパネル部
１５ｂ  有機ＥＬパネル部
１６  制御部
１７  ＯＳＤ発生部
【図１】
2006115266.tif 000003
【図２】
2006115266.tif 000004
【図３】
2006115266.tif 000005
【図４】
2006115266.tif 000006
【図５】
2006115266.tif 000007